(57)【要約】【課題】設定値を変更できる権限が管理者と使用者で異なる電気機器装置において、設定値を工場出荷設定値、管理者設定値、使用者設定値に分けて管理することで、電気機器装置の工場出荷設定値または管理者設定値または使用者設定値を設定することができ、また各々の設定値間で設定値をコピーできる電気機器装置を提供する。【解決手段】電気機器装置の調整を行うために設定される設定値を設定することができる調整値設定手段２７を備えた電気機器装置１において、工場出荷設定値を記憶する工場出荷設定値記憶手段１９と、管理者設定値を記憶する管理者設定値記憶手段２０と、使用者設定値を記憶する使用者設定値記憶手段２１と、記憶されている工場出荷設定値、管理者設定値、又は使用者設定値から管理者設定値又は使用者設定値にコピーすることができる制御手段１５を備え、設定値を変更できる管理者と使用者が制御手段１５により設定値を設定する。【選択図】図１
2009122752.tif 000002
【特許請求の範囲】
【請求項１】
電気機器装置の調整値を設定することができる調整値設定手段を備えた電気機器装置において、
工場出荷設定値を記憶する工場出荷設定値記憶手段と、
管理者設定値を記憶する管理者設定値記憶手段と、
使用者設定値を記憶する使用者設定値記憶手段と、
記憶されている前記工場出荷設定値、前記管理者設定値、又は前記使用者設定値から前記管理者設定値又は前記使用者設定値にコピーすることができる制御手段を備えることを特徴とする電気機器装置。
【請求項２】
前記制御手段は、
管理者が選択できるコピー操作の管理者用の設定タイプを選択できる管理者用コピー操作選択手段を備え、
前記管理者用コピー操作選択手段から設定タイプが選択されると、設定タイプに基づいて設定値をコピーすることを特徴とする請求項１に記載の電気機器装置。
【請求項３】
前記制御手段は、
使用者が選択できるコピー操作の使用者用の設定タイプを選択できる使用者用コピー操作選択手段を備え、
前記使用者用コピー操作選択手段から設定タイプが選択されると、設定タイプに基づいて設定値をコピーすることを特徴とする請求項１または請求項２に記載の電気機器装置。
【請求項４】
前記管理者設定値記憶手段は、複数の管理者設定値を記憶することを特徴とする請求項１から請求項３のいずれか一項に記載の電気機器装置。
【請求項５】
前記使用者設定値記憶手段は、複数の使用者設定値を記憶することを特徴とする請求項１から請求項４のいずれか一項に記載の電気機器装置。
【請求項６】
前記管理者用コピー操作選択手段は、前記管理者設定値記憶手段により記憶されている管理者設定値を特定する領域番号と前記使用者設定値記憶手段により記憶されている使用者設定値を特定する領域番号を設定することにより、管理者用の設定タイプに基づいて領域番号の管理者設定値または使用者設定値をコピーすることができる請求項４から請求項５のいずれか一項に記載の電気機器装置。
【請求項７】
前記使用者用コピー操作選択手段は、前記管理者設定値記憶手段により記憶されている管理者設定値を特定する領域番号と前記使用者設定値記憶手段により記憶されている使用者設定値を特定する領域番号を設定することにより、使用者用の設定タイプに基づいて領域番号の管理者設定値または使用者設定値をコピーすることができる請求項４から請求項５のいずれか一項に記載の電気機器装置。
【請求項８】
前記調整値設定手段は、電気機器装置に接続される外部装置から設定するように構成されたことを特徴とする請求項１から請求項７のいずれか一項に記載の電気機器装置。
【請求項９】
前記調整値設定手段は、電気機器装置に接続される別の電気機器装置に設定されている設定値からコピーして設定するように構成されたことを特徴とする請求項１から請求項８のいずれか一項に記載の電気機器装置。
【請求項１０】
当該電気機器装置は、プロジェクタ装置であることを特徴とする請求項１から請求項９までのいずれか一項に記載の電気機器装置。
【請求項１１】
電気機器装置の調整値を設定することができる調整値設定方法において、
工場出荷設定値を記憶する工場出荷設定値記憶工程と、
管理者設定値を記憶する管理者設定値記憶工程と、
使用者設定値を記憶する使用者設定値記憶工程と、
記憶されている前記工場出荷設定値、前記管理者設定値、又は前記使用者設定値から前記管理者設定値又は前記使用者設定値にコピーすることができる制御工程を備え、
電気機器装置を管理する管理者と電気機器装置を利用する利用者が前記制御工程により設定値を設定することを特徴とする設定方法。
【発明の詳細な説明】
【技術分野】
【０００１】
本発明は、電気機器装置及び電気機器装置における設定方法に係り、特に電気機器装置の調整を行うために設定される設定値（以下設定値という）をグループやグループ内の使用者の目的や要求に合わせて設定できる電気機器装置と電気機器装置の設定方法に関するものである。
【背景技術】
【０００２】
プロジェクタ装置などの電気機器装置の使用形態として、グループでの共有やシアタールームでの共用や業者によるレンタル等がある。そのような場合、電気機器装置の管理者と利用者が異なり、さらにその利用者は次々に入れ替わる。利用者は所望の設定をするが、次の使用者がその設定をそのまま使用してしまうと不都合が生じる場合がある。このため、全ての設定値を初期化する機能があるが、それでは管理者が予め設定しているものまで初期化されてしまう。こうした点に対処するため、特許文献１に開示の技術では、工場出荷時の設定値が記憶されている第１のメモリ部と使用者の設定値が記憶される第２及び第３のメモリ部を備え、予め再設定が面倒な設定値は第２のメモリに記憶し、トラブル時に設定値をリセットする場合は第３のメモリのみをリセットすることで、再設定が面倒な第２のメモリを保持して、設定値を工場出荷状態に戻すことが出来るリセット電気機器装置を提供するようにしている。
【０００３】
【特許文献１】特開平８−１６１０８３号公報
【発明の開示】
【発明が解決しようとする課題】
【０００４】
上記特許文献１に記載の方式では、グループで電気機器装置を共有して使用する場合、再設定が面倒な設定値を第２のメモリ部へ、トラブル時にリセット可能な設定値を第３のメモリ部へ、使用者により設定できる。しかし複数の使用者が頻繁に入れ替わり、これら使用者が頻繁に設定値を変更すると、特に再設定が面倒な設定値が変更されると設定値を適切な値に再設定することが困難であった。
【０００５】
本発明はこのような状況に鑑みてなされたものであり、上記問題点を解決できる電気機器装置と電気機器装置の設定方法を提供することを目的とする。
【課題を解決するための手段】
【０００６】
本発明の電気機器装置は、電気機器装置の調整値を設定することができる調整値設定手段を備えた電気機器装置において、工場出荷設定値を記憶する工場出荷設定値記憶手段と、管理者設定値を記憶する管理者設定値記憶手段と、使用者設定値を記憶する使用者設定値記憶手段と、記憶されている前記工場出荷設定値、前記管理者設定値、又は前記使用者設定値から前記管理者設定値又は前記使用者設定値にコピーすることができる制御手段を備えたことを特徴としている。
また、本発明の電気機器装置の前記制御手段は、管理者が選択できるコピー操作の管理者用の設定タイプを選択できる管理者用コピー操作選択手段を備え、前記管理者用コピー操作選択手段から設定タイプが選択されると、設定タイプに基づいて設定値をコピーすることを特徴としている。
また、本発明の電気機器装置の前記制御手段は、使用者が選択できるコピー操作の使用者用の設定タイプを選択できる使用者用コピー操作選択手段を備え、前記使用者用コピー操作選択手段から設定タイプが選択されると、設定タイプに基づいて設定値をコピーすることを特徴としている。
また、本発明の電気機器装置の前記管理者設定値記憶手段は、複数の管理者設定値を記憶することを特徴としている。
また、本発明の電気機器装置の前記使用者設定値記憶手段は、複数の使用者設定値を記憶することを特徴としている。
また、本発明の電気機器装置の前記管理者用コピー操作選択手段は、前記管理者設定値記憶手段により記憶されている管理者設定値を特定する領域番号と前記使用者設定値記憶手段により記憶されている使用者設定値を特定する領域番号を設定することにより、管理者用の設定タイプに基づいて領域番号の管理者設定値または使用者設定値をコピーすることを特徴としている。
また、本発明の電気機器装置の前記使用者用コピー操作選択手段は、前記管理者設定値記憶手段により記憶されている管理者設定値を特定する領域番号と前記使用者設定値記憶手段により記憶されている使用者設定値を特定する領域番号を設定することにより、使用者用の設定タイプに基づいて領域番号の管理者設定値または使用者設定値をコピーすることを特徴としている。
また、本発明の電気機器装置の前記調整値設定手段は、電気機器装置に接続される外部装置から設定するように構成されたことを特徴としている。
また、本発明の電気機器装置の前記調整値設定手段は、電気機器装置に接続される別の電気機器装置に設定されている設定値からコピーして設定するように構成されたことを特徴としている。
また、本発明の電気機器装置は、プロジェクタ装置であることを特徴としている。
また、本発明の電気機器装置の設定方法は、調整値を設定することができる調整値設定方法において、工場出荷設定値を記憶する工場出荷設定値記憶工程と、管理者設定値を記憶する管理者設定値記憶工程と、使用者設定値を記憶する使用者設定値記憶工程と、記憶されている前記工場出荷設定値、前記管理者設定値、又は前記使用者設定値から前記管理者設定値又は前記使用者設定値にコピーすることができる制御工程を備え、電気機器装置を管理する管理者と電気機器装置を利用する利用者が前記制御工程により設定値を設定することを特徴としている。
【発明の効果】
【０００７】
本発明によれば、グループで電気機器装置を共有して使用する場合には、電気機器装置の初期値（以下工場出荷設定値という）、電気機器装置の管理者（以下管理者という）が設定した共通の設定値（以下管理者設定値という）とそのグループの使用者（以下使用者という）が管理者設定値以外に設定した設定値（以下使用者設定値という）について分けて管理することで、他の使用者が設定値を変更した場合でも容易に使用者設定値に戻すことができる電気機器装置及び電気機器装置における設定方法を提供することができる。
【発明を実施するための最良の形態】
【０００８】
以下、本発明の実施形態について図面を参照して説明する。
（第１の実施の形態）
本発明の第１の実施形態は、グループ内に準備されたプロジェクタ装置に本発明を適用した例を挙げる。このプロジェクタ装置は管理する管理者が決められており、その管理者により予めグループとして同じ値にしなければならない共通の設定値が管理者設定値として設定され、またこのプロジェクタ装置の使用者により所望の設定値が使用者設定値に設定される。このような設定ができるプロジェクタ装置において、管理者は更に管理者設定値、使用者設定値、及び電気機器装置に現在適用されている設定値（以下現在設定値という）を変更して設定することができ、また使用者は更に使用者設定値、及び現在設定値を変更して設定することができる。また、このプロジェクタ装置は使用者が電源をオフするときに、管理者設定値を使用者設定値に設定することで使用者設定値を何も設定されていない状態（初期化）することができる。なお、現在設定値は工場出荷設定値、管理者設定値、使用者設定値とは別のメモリ領域に記憶されるもので、具体的には後述の現在設定値記憶メモリ１８に記憶される。
【０００９】
図1は、本発明の第１の実施形態であるプロジェクタ装置の主要な構成を示す機能ブロック図である。このプロジェクタ装置１には、初期値として工場出荷設定値がメモリに記憶されている。また、プロジェクタ装置１は、管理者や使用者が設定した設定値をメモリに記憶する機能やメモリに記憶されている設定値を他のメモリの設定値にコピーする設定値メモリ管理機能を備えている。
【００１０】
図１のプロジェクタ装置１は、接続された外部装置２（パソコン、ＤＶＤプレーヤー、ビデオ機器、ゲーム機、テレビ受信機など）から映像信号を入力し、スクリーン３はこの映像信号に基づき映像を表示する。管理者や使用者はリモコン４を用いてプロジェクタ装置１を遠隔操作して、プロジェクタ装置１の電源オンオフ操作やメニュー画面を表示する操作を行うことができる。また、管理者や使用者は操作ボタン５を用いてプロジェクタ装置１の電源オンオフ操作やメニュー画面を表示して操作を行うこともできる。
【００１１】
以下、図１のプロジェクタ装置１の構成について更に詳しく説明する。
【００１２】
図１に示す信号入力部１１は、外部装置２から出力される映像信号を入力して映像生成部１２に出力する。映像生成部１２は、この映像信号からスクリーン３に表示できる映像データを生成する。表示部１３は映像生成部１２にて生成された映像データに、ＯＳＤ生成部１４にて生成されるＯＳＤ表示のためのデータを重ね合わせた後、その重ね合わせた映像データを基にスクリーン３に映像として投射する。このＯＳＤ表示には、管理者や利用者の操作により設定値を設定するためのメニュー画面の表示等が含まれる。
【００１３】
制御処理部１５は、管理者や使用者によるリモコン４や操作ボタン５の操作に基づきプロジェクタ装置１の各部の動作を制御するようになっている。加えて、制御処理部１５には、各種設定値が記憶されているメモリの管理を行う設定値メモリ管理処理部２７が設けられている。制御処理部１５は、リモコン受信部２２または操作入力部２３からの操作データにより、電源オンオフ、メニュー画面の表示、操作画面の表示等を行うことができる。メモリ１６は制御処理部１５の実行するアプリケーションプログラムやこのプログラムにて用いられるデータ、また管理者が操作した設定値（以下管理者操作設定値という）や使用者が操作した設定値（以下使用者操作設定値という）を一時的に記憶し、また放送受信装置１の基本機能を実現するためのプログラムを記憶している。メモリ１６はＲＯＭとＲＡＭで構成されている。ＨＤＤ１７は、制御処理部１５が実行するプログラムや管理者の暗号化されたパスワードを保存するハードディスクドライブである。また、ＨＤＤ１７には電源をオフしたときに、メモリに記憶されている設定値を保持するために電源オフ直前の設定値が保存される。
【００１４】
現在設定値記憶メモリ１８は、プロジェクタ装置１の現在設定値が記憶されているメモリ（RAM）である。工場出荷設定値記憶メモリ１９は、工場出荷設定値が記憶されているメモリで、書き替えが出来ない不揮発性メモリ（ＲＯＭ）である。管理者設定値記憶メモリ２０は、管理者設定値が記憶される書き替え可能不揮発性メモリ（ＦＬＡＳＨメモリ等）である。使用者設定値記憶メモリ２１は、使用者設定値が記憶される書き替え可能不揮発性メモリ（ＦＬＡＳＨメモリ等）である。現在設定値記憶メモリ１８、管理者設定値記憶メモリ２０、使用者設定値記憶メモリ２１については、メモリ１６と各メモリ１８、１９、２０、２１を分けずに、メモリ１６にこれらのメモリ領域を確保することができる。また、現在設定値記憶メモリ１８に記憶されている設定値については、プロジェクタ装置１の電源オフにより記憶されているメモリから消去されてしまうので、電源オフの直前で設定値はＨＤＤ１７に保存され、電源オンの直後にＨＤＤ１７から取り出され該当するメモリに復元される。
【００１５】
リモコン４は、リモコン４に設けられた操作ボタンに対する管理者や使用者の操作に応じて赤外線による操作信号を送信し、リモコン受信部２２はこの操作信号を受信すると電気信号に変換し制御処理部１５に出力する。操作ボタン５は、プロジェクタ装置１に設けられた操作ボタン５に対する管理者や使用者の操作に応じて操作信号を出力し、操作入力部２３はこの操作信号を受信すると各操作ボタンに対応するディジタルデータに変換し制御処理部１５に出力する。電源２５は、電源が必要な箇所へ電源を供給する装置であり、電源制御部２４により電源の供給が制御される。以上の各部１１〜２４はシステムバス２６により接続されている。
【００１６】
図２は、本発明の第１の実施形態であるプロジェクタ装置１の設定値の流れを示す図である。以下、プロジェクタ装置１の設定値の流れについて説明する。
図２に示すａ１〜ａｎ１は映像調整に分類される設定値で、ｂ１〜ｂｎ2はガンマ調整に分類される設定値で、ｃ１〜ｃｎ3は同期調整に分類される設定値で、ｄ１〜ｄｎ4はその他調整に分類される設定値である。工場出荷設定値には、図２（ａ）に示すようにａ１〜ａｎ１、ｂ１〜ｂｎ2、ｃ１〜ｃｎ3、ｄ１〜ｄｎ4の全てに工場出荷の時に初期値である設定値が設定され、図１に示す工場出荷設定値記憶メモリ１９に記憶されている。図２（ｂ）に示す現在設定値には、プロジェクタ装置１に現在適用されている設定値（ａ１〜ａｎ１、ｂ１〜ｂｎ2、ｃ１〜ｃｎ3、ｄ１〜ｄｎ4に対応する全ての設定値）が設定され、図１に示す現在設定値記憶メモリ１８に記憶されている。現在設定値の初期値には、工場設定値と同じ値が設定される。図２（ｃ）に示す管理者操作設定値は、グループとして同じ値にしなければならない設定値であり、管理者によりリモコン４または操作ボタン５から設定され、図１に示すメモリ１６に記憶される。例えば管理者が図２（ｂ）に示す設定値ｃ２’（同期調整の水平位置）、設定値ｃ３’（同期調整の垂直位置） 、設定値ｄ２’（その他調整の字幕調整）、設定値ｄ３’（その他調整のＯＳＤ調整）を設定変更すると、メモリ１６の図２（ｃ）に示す管理者操作設定値に一時的に記憶される。管理者が設定変更を確定するとメモリ１６から取り出した管理者操作設定値が図２（ｄ）に示す管理者設定値として設定され、図１に示す管理者設定値記憶メモリ２０に記憶される。図２（ｅ）に示す使用者操作設定値は、使用者が自由に設定することができる設定値であり、使用者によりリモコン４または操作ボタン５から操作した設定値が設定され、図１に示すメモリ１６に記憶されている。例えば使用者が設定値ａ１’（映像調整の映像ポジション）、設定値ａ２’（映像調整のコントラスト） 、設定値ａ３’（映像調整の明るさ）、設定値ｂ１’（ガンマ調整のガンマポジション）を設定変更すると、メモリ１６の図２（ｅ）に示す使用者操作設定値に一時的に記憶される。使用者が設定変更を確定するとメモリ１６から取り出した使用者操作設定値が図２（ｆ）に示す使用者設定値として設定され、図１に示す使用者設定値記憶メモリ２１に記憶される。管理者設定値と使用者設定値については、設定変更により図２に示すように現在設定値に設定することができる。更に、工場出荷設定値を管理者設定値に設定、使用者設定値を管理者設定値に設定、管理者設定値を使用者設定値に設定することができる。以上のような設定値の設定は、管理者または使用者の設定変更で行うことができる。
【００１７】
図３は、本発明の第１の実施形態である設定変更メニュー画面のフォーマットである。
設定変更メニュー画面は、管理者や使用者がリモコン４または操作ボタン５から操作するとスクリーン３にＯＳＤ表示される画面である。管理者による設定変更か使用者による設定変更で設定変更メニューが異なるので、設定変更メニュー画面から「管理者設定変更メニュー画面」か「使用者設定変更メニュー画面」のどちらかを選択する。また、設定変更メニュー画面には、設定変更メイン項目である「映像調整」などの調整値の入力欄があり、設定変更メイン項目の中から一つを選択する。「管理者設定変更メニュー画面」と「設定変更メイン項目」の一つを選択して確定キーを押下すると図４に示す管理設定変更メニュー画面が表示される。また、同様に「使用者設定変更メニュー画面」と「設定変更メイン項目」の一つを選択して確定キーを押下すると、図５に示す使用者設定変更メニュー画面が表示される。
【００１８】
図４は、本発明の第１の実施形態である管理者設定変更メニュー画面のフォーマットで、図３における設定変更メイン項目として「同期調整」が選択された例である。管理者は、管理者設定変更メニュー画面が表示されるとパスワードの入力が要求される。このパスワードは、管理者が行う設定変更を管理者だけに許可するために設けられたパスワードである。パスワードによる認証で許可されると図３の設定変更メニュー画面で選択した設定変更メイン項目の設定変更サブ項目と設定タイプが選択可能となり、この設定変更サブ項目を選択すると、この設定変更サブ項目の枠内の設定値を入力し、あるいは変更ができる。ここで変更された設定値は、メモリ１６に管理者操作設定値として一時的に記憶される。また、管理者は、予め決められた設定タイプを選択することで管理者設定値や現在設定値を変更することができる。選択できる設定タイプは設定タイプ１から設定タイプ６である。設定タイプ１は、管理者操作設定値を管理者設定値へコピーする設定タイプである。設定タイプ２は、工場出荷設定値を現在設定値へコピーする設定タイプである。設定タイプ３は、管理者設定値を現在設定値へコピーする設定タイプである。設定タイプ４は、使用者設定値を現在設定値へコピーする設定タイプである。設定タイプ５は、管理者設定値を使用者設定値にコピーする設定タイプである。設定タイプ６は、工場出荷設定値を管理者設定値にコピーする設定タイプである。
【００１９】
図５は、本発明の第１の実施形態である使用者設定変更メニュー画面のフォーマットで、図３における設定変更メイン項目として「映像調整」が選択された例である。使用者設定変更メニュー画面が表示されると、図３の設定変更メニュー画面で選択した設定変更メイン項目の設定変更サブ項目が表示され、この設定変更サブ項目を選択すると、この設定変更サブ項目の枠内に設定値を入力し、あるいは変更ができる。ここで変更された設定値は、メモリ１６に使用者操作設定値として一時的に記憶される。また、使用者は、予め決められた設定タイプを選択することで使用者設定値や現在設定値を変更することができる。選択できる設定タイプは、設定タイプ１から設定タイプ５である。設定タイプ１は、使用者操作設定値を使用者設定値へコピーする設定タイプである。設定タイプ２は、管理者設定値を現在設定値へコピーする設定タイプである。設定タイプ３は、使用者設定値を現在設定値へコピーする設定タイプである。設定タイプ４は、管理者設定値を使用者設定値へコピーする設定タイプである。設定タイプ５は、管理者設定値を使用者設定値にコピーした後にプロジェクタ装置１の電源をオフする設定タイプである。
【００２０】
図６は本発明の第１の実施形態における、管理者設定変更処理の流れを示すフローチャートである。図６のフローチャートに示すステップ順に基づいて以下説明する。
【００２１】
（ステップＡ０）
管理者がリモコン４または操作ボタン５を操作して図３に示す設定変更メニュー画面を表示し、「管理者設定変更メニュー画面」と、「設定変更メイン項目」の一つを選択して確定キーを押下すると、制御処理部１５の設定値メモリ管理処理部２７が管理者設定変更処理を開始する。
【００２２】
（ステップＡ１）
設定値メモリ管理処理部２７は、ＯＳＤ生成部１４に管理者設定変更メニュー画面のＯＳＤ表示指令を出力する。ＯＳＤ生成部１４は、図４に示す管理者設定変更メニュー画面を生成し表示部１３に出力する。表示部１３は映像生成部１２にて生成された映像データにＯＳＤ生成部１４にて生成された管理者設定変更メニュー画面を重ね合わせ、その重ね合わせた映像データをスクリーン３に出力して映像表示する。
【００２３】
（ステップＡ２）
管理者は表示された管理者設定変更メニュー画面のパスワードをリモコン４または操作ボタン５から設定すると、リモコン受信部２２または操作入力部２３からパスワードが制御処理部１５の設定値メモリ管理処理部２７に出力される。設定値メモリ管理処理部２７はこのパスワードを入力する。
【００２４】
（ステップＡ３）
次に設定値メモリ管理処理部２７は処理をステップＡ３に進め、管理者が設定したパスワードを暗号化し、ＨＤＤ１７に暗号化して保存されているパスワードと同じであるかチェックすることで、パスワードが正しいかを判定する。パスワードが正しくない（Ｎｏ）と判定されると、本処理を終了する。
【００２５】
（ステップＡ４）
ステップＡ３において設定値メモリ管理処理部２７がパスワードは正しい（Ｙｅｓ）と判定したときはステップＡ４に進む。管理者がスクリーン３に表示された管理者設定変更メニュー画面の設定変更サブ項目の一つを選択して確定キーを押下すると、設定値メモリ管理処理部２７はこの操作した設定値を管理者操作設定値としてメモリ１６に記憶する。また、スクリーン３に表示された管理者設定変更メニュー画面の設定タイプを管理者がリモコン４または操作ボタン５から選択して確定キーを押下すると、設定値メモリ管理処理部２７はこの選択された設定タイプのデータを入力する。
【００２６】
（ステップＡ５）
設定値メモリ管理処理部２７は、管理者が選択した設定タイプをチェックし、設定タイプが１（管理者操作設定値を管理者設定値へコピー）であればステップＡ６の処理に進み、設定タイプが２（工場出荷設定値を現在設定値へコピー）であればステップＡ７の処理に進み、設定タイプが３（管理者設定値を現在設定値へコピー）であればステップＡ８の処理に進み、設定タイプが４（使用者設定値を現在設定値へコピー）であればステップＡ９の処理に進み、設定タイプが５（管理者設定値を使用者設定値にコピー）であればステップＡ１０の処理に進み、設定タイプが６（工場出荷設定値を管理者設定値にコピー）であればステップＡ１１の処理に進む。
【００２７】
（ステップＡ６）
ステップＡ５において設定値メモリ管理処理部２７が設定タイプ１と判定したときはステップＡ６に進み、メモリ１６に記憶されている管理者操作設定値を取り出し、管理者設定値記憶メモリ２０に記憶し、本処理を終了する。
【００２８】
（ステップＡ７）
ステップＡ５において設定値メモリ管理処理部２７が設定タイプ２と判定したときはステップＡ７に進み、工場出荷設定値記憶メモリ１９に記憶されている工場出荷設定値を取り出し、現在設定値記憶メモリ１８に記憶し、本処理を終了する。
【００２９】
（ステップＡ８）
ステップＡ５において設定値メモリ管理処理部２７が設定タイプ３と判定したときはステップＡ８に進み、管理者設定値記憶メモリ２０に記憶されている管理者設定値を取り出し、現在設定値記憶メモリ１８に記憶し、本処理を終了する。
【００３０】
（ステップＡ９）
ステップＡ５において設定値メモリ管理処理部２７が設定タイプ４と判定したときはステップＡ９に進み、使用者設定値記憶メモリ２１に記憶されている使用者設定値を取り出し、現在設定値記憶メモリ１８に記憶し、本処理を終了する。
【００３１】
（ステップＡ１０）
ステップＡ５において設定値メモリ管理処理部２７が設定タイプ５と判定したときはステップＡ１０に進み、管理者設定値記憶メモリ２０に記憶されている管理者設定値を取り出し、使用者設定値記憶メモリ２１に記憶し、本処理を終了する。
【００３２】
（ステップＡ１１）
ステップＡ５において設定値メモリ管理処理部２７が設定タイプ６と判定したときはステップＡ１１に進み、工場出荷設定値記憶メモリ１９に記憶されている工場出荷設定値を取り出し、管理者設定値記憶メモリ２０に記憶し、本処理を終了する。
【００３３】
図７は本発明の第１の実施形態における、使用者設定変更処理の流れを示すフローチャートである。図７のフローチャートに示すステップ順に基づいて以下説明する。
【００３４】
（ステップＢ０）
使用者がリモコン４または操作ボタン５を操作して図３に示す設定変更メニュー画面を表示し、「使用者設定変更メニュー画面」と、「設定変更メイン項目」の一つを選択して確定キーを押下すると、制御処理部１５の設定値メモリ管理処理部２７が管理者設定変更処理を開始する。
【００３５】
（ステップＢ１）
設定値メモリ管理処理部２７は、ＯＳＤ生成部１４に使用者設定変更メニュー画面のＯＳＤ表示指令を出力する。ＯＳＤ生成部１４は、図５に示す使用者設定変更メニュー画面を生成し表示部１３に出力する。表示部１３は映像生成部１２にて生成された映像データにＯＳＤ生成部１４にて生成された使用者設定変更メニュー画面を重ね合わせ、その重ね合わせた映像データをスクリーン３に出力して映像表示する。
【００３６】
（ステップＢ２）
ステップＢ２において、使用者がスクリーン３に表示された使用者設定変更メニュー画面の設定変更サブ項目の一つを選択して確定キーを押下すると、設定値メモリ管理処理部２７はこの操作した設定値を使用者操作設定値としてメモリ１６に記憶する。また、スクリーン３に表示された使用者設定変更メニュー画面の設定タイプを使用者がリモコン４または操作ボタン５から選択して確定キーを押下すると、設定値メモリ管理処理部２７はこの選択された設定タイプのデータを入力する。
【００３７】
（ステップＢ３）
設定値メモリ管理処理部２７は、使用者が選択した設定タイプをチェックし、設定タイプが１（使用者操作設定値を使用者設定値へコピー）であればステップＢ４の処理に進み、設定タイプが２（管理者設定値を現在設定値へコピー）であればステップＢ５の処理に進み、設定タイプが３（使用者設定値を現在設定値へコピー）であればステップＢ６の処理に進み、設定タイプが４（管理者設定値を使用者設定値へコピー）であればステップＢ７の処理に進み、設定タイプが５（電源オフの時に管理者設定値を使用者設定値にコピー）であればステップＢ８の処理に進む。
【００３８】
（ステップＢ４）
ステップＢ３において設定値メモリ管理処理部２７が設定タイプ１と判定したときはステップＢ４に進み、メモリ１６に記憶されている使用者操作設定値を取り出し、使用者設定値記憶メモリ２１に記憶し、本処理を終了する。
【００３９】
（ステップＢ５）
ステップＢ３において設定値メモリ管理処理部２７が設定タイプ２と判定したときはステップＢ５に進み、管理者設定値記憶メモリ２０に記憶されている管理者設定値を取り出し、現在設定値記憶メモリ１８に記憶し、本処理を終了する。
【００４０】
（ステップＢ６）
ステップＢ３において設定値メモリ管理処理部２７が設定タイプ３と判定したときはステップＢ６に進み、使用者設定値記憶メモリ２１に記憶されている使用者設定値を取り出し、現在設定値記憶メモリ１８に記憶し、本処理を終了する。
【００４１】
（ステップＢ７）
ステップＢ３において設定値メモリ管理処理部２７が設定タイプ４と判定したときはステップＢ７に進み、管理者設定値記憶メモリ２０に記憶されている管理者設定値を取り出し、使用者設定値記憶メモリ２１に記憶し、本処理を終了する。
【００４２】
（ステップＢ８）
ステップＢ３において設定値メモリ管理処理部２７が設定タイプ５と判定されたときはステップＢ８に進み、管理者設定値記憶メモリ２０に記憶されている管理者設定値を取り出し、使用者設定値記憶メモリ２１に記憶する。
【００４３】
（ステップＢ９）
次にステップＢ９に進み、設定値メモリ管理処理部２７は電源制御部２４にプロジェクタ装置１の電源オフの指令を行う。指令を受けた電源制御部２４が電源２５の電源オフを行うことで本処理は終了する。
【００４４】
このような第１の実施形態によれば、管理者は現在設定値に工場出荷設定値または管理者設定値または使用者設定値を容易に設定することができ、また管理者設定値と使用者設定値の間で設定値のコピーをすることで、管理者設定値や使用者設定値に容易に設定できるプロジェクタ装置（電気機器装置）及びプロジェクタ装置（電気機器装置）における設定方法を提供することができる。
【００４５】
（第２の実施の形態）
本発明の第２の実施形態は、第１の実施形態における管理者設定値を記憶する管理者設定値記憶メモリ２０と使用者設定値記憶メモリ２１を複数の領域に分けて、複数の管理者設定値と複数の使用者設定値を記憶することができる実施形態である。第２の実施形態のプロジェクタ装置の機能ブロック図は、第１の実施形態と同じである。
【００４６】
図８は、本発明の第２の実施形態である管理者設定値記憶メモリ２０の構成を示し、管理者設定値記憶メモリ２０は複数の領域に分けられ、領域毎に設定日時とタイトルが付けられ、それに該当する管理者設定値が記憶されている。図９は、本発明の第２の実施形態である使用者設定値記憶メモリ２１の構成を示し、使用者設定値記憶メモリ２１は複数の領域に分けられ、領域毎に設定日時とタイトルが付けられ、それに該当する使用者設定値が記憶されている。図８の領域番号１のタイトル「今期成果発表会」と図９の領域番号１のタイトル「今期成果発表会（上期）」と領域番号２のタイトル「今期成果発表会（上期）」については関連があり、また図８の領域番号２のタイトル「プレゼンテーション」と図９の領域番号３のタイトル「Ｋ社向けプレゼンテーション」と領域番号４のタイトル「Ｌ社向けプレゼンテーション」と領域番号５のタイトル「Ｍ社向けプレゼンテーション」については関連している。管理者または使用者は、コピー操作を行う前に図８に示す管理者設定値記憶メモリの構成と図９に示す使用者設定値記憶メモリの構成を画面に表示することで、領域番号に該当するタイトルを確認することができるので、管理者や使用者はコピー操作のときに所望する領域番号を容易に選択することができる。
【００４７】
本発明の第２の実施形態である設定変更メニュー画面のフオーマットと表示方法は、本発明の第１の実施形態である図３に示す設定変更メニュー画面と同じである。本発明の第２の実施形態である管理者設定変更メニュー画面と使用者設定変更メニュー画面の表示方法は、本発明の第１の実施形態である図４に示す管理者設定変更メニュー画面と図５に示す使用者設定変更メニュー画面の表示方法と同じであるが、フォーマッについては、管理者設定値記憶メモリ２０と使用者設定値記憶メモリ２１の領域番号を指定する入力項目を設け、領域番号の指定が必要な設定タイプについては指定するようになっている。
【００４８】
図１０は本発明の第２の実施形態における、管理者設定変更処理の流れを示すフローチャートである。図１０のフローチャートに示すステップ順に基づいて以下説明する。
【００４９】
（ステップＣ０）
管理者がリモコン４または操作ボタン５を操作して図３に示す設定変更メニュー画面を表示し、「管理者設定変更メニュー画面」と、「設定変更メイン項目」の一つを選択して確定キーを押下すると、制御処理部１５の設定値メモリ管理処理部２７が管理者設定変更処理を開始する。
【００５０】
（ステップＣ１）
設定値メモリ管理処理部２７は、ＯＳＤ生成部１４に領域番号を指定できる図４に示すような管理者設定変更メニュー画面のＯＳＤ表示指令を出力する。ＯＳＤ生成部１４は、管理者設定変更メニュー画面を生成し表示部１３に出力する。表示部１３は映像生成部１２にて生成された映像データにＯＳＤ生成部１４にて生成された管理者設定変更メニュー画面を重ね合わせ、その重ね合わせた映像データをスクリーン３に出力して映像表示する。
【００５１】
（ステップＣ２）
管理者は表示された管理者設定変更メニュー画面のパスワードをリモコン４または操作ボタン５から設定すると、リモコン受信部２２または操作入力部２３からパスワードが制御処理部１５の設定値メモリ管理処理部２７に出力される。設定値メモリ管理処理部２７はこのパスワードを入力する。
【００５２】
（ステップＣ３）
次に設定値メモリ管理処理部２７は処理をステップＣ３に進め、管理者が設定したパスワードを暗号化し、ＨＤＤ１７に暗号化して保存されているパスワードと同じであるかチェックすることで、パスワードが正しいかを判定する。パスワードが正しくない（Ｎｏ）と判定されると、本処理を終了する。
【００５３】
（ステップＣ４）
ステップＣ３において設定値メモリ管理処理部２７がパスワードは正しい（Ｙｅｓ）と判定したときはステップＣ４に進む。管理者がスクリーン３に表示された管理者設定変更メニュー画面の設定変更サブ項目の一つを選択して確定キーを押下すると、設定値メモリ管理処理部２７はこの操作した設定値を管理者操作設定値としてメモリ１６に記憶する。また、スクリーン３に表示された管理者設定変更メニュー画面の設定タイプの選択と領域番号の指定を管理者がリモコン４または操作ボタン５から行い確定キーを押下すると、設定値メモリ管理処理部２７はこの選択された設定タイプと指定された領域番号のデータを入力する。
【００５４】
（ステップＣ５）
設定値メモリ管理処理部２７は、管理者が選択した設定タイプをチェックし、設定タイプが１（管理者操作設定値を設定された領域番号の管理者設定値へコピー）であればステップＣ６の処理に進み、設定タイプが２（工場出荷設定値を現在設定値へコピー）であればステップＣ７の処理に進み、設定タイプが３（指定された領域番号の管理者設定値を現在設定値へコピー）であればステップＣ８の処理に進み、設定タイプが４（指定された領域番号の利用者設定値を現在設定値へコピー）であればステップＣ９の処理に進み、設定タイプが５（指定された領域番号の管理者設定値を指定された領域番号の使用者設定値にコピー）であればステップＣ１０の処理に進み、設定タイプが６（工場出荷設定値を指定された領域番号の管理者設定値にコピー）であればステップＣ１１の処理に進む。
【００５５】
（ステップＣ６）
ステップＣ５において設定値メモリ管理処理部２７が設定タイプ１と判定したときはステップＣ６に進み、指定された管理者設定値記憶メモリ２０の領域番号を入力し、メモリ１６に記憶されている管理者操作設定値を取り出し、管理者設定値記憶メモリ２０の領域番号に記憶し、本処理を終了する。
【００５６】
（ステップＣ７）
ステップＣ５において設定値メモリ管理処理部２７が設定タイプ２と判定したときはステップＣ７に進み、工場出荷設定値記憶メモリ１９に記憶されている工場出荷設定値を取り出し、現在設定値記憶メモリ１８に記憶し、本処理を終了する。
【００５７】
（ステップＣ８）
ステップＣ５において設定値メモリ管理処理部２７が設定タイプ３と判定したときはステップＣ８に進み、指定された管理者設定値記憶メモリ２０の領域番号を入力し、管理者設定値記憶メモリ２０に記憶されている領域番号の管理者設定値を取り出し、現在設定値記憶メモリ１８に記憶し、本処理を終了する。
【００５８】
（ステップＣ９）
ステップＣ５において設定値メモリ管理処理部２７が設定タイプ４と判定したときはステップＣ９に進み、指定された使用者設定値記憶メモリ２１の領域番号を入力し、使用者設定値記憶メモリ２１に記憶されている領域番号の使用者設定値を取り出し、現在設定値記憶メモリ１８に記憶し、本処理を終了する。
【００５９】
（ステップＣ１０）
ステップＣ５において設定値メモリ管理処理部２７が設定タイプ５と判定したときはステップＣ１０に進み、指定された管理者設定値記憶メモリ２０と使用者設定値記憶メモリ２１の領域番号を入力し、管理者設定値記憶メモリ２０に記憶されている領域番号の管理者設定値を取り出し、使用者設定値記憶メモリ２１の領域番号に記憶し、本処理を終了する。
【００６０】
（ステップＣ１１）
ステップＣ５において設定値メモリ管理処理部２７が設定タイプ６と判定したときはステップＣ１１に進み、指定された管理者設定値記憶メモリ２０の領域番号を入力し、工場出荷設定値記憶メモリ１９に記憶されている工場出荷設定値を取り出し、管理者設定値記憶メモリ２０の領域番号に記憶し、本処理を終了する。
【００６１】
図１１は本発明の第１の実施形態における、使用者設定変更処理の流れを示すフローチャートである。図１１のフローチャートに示すステップ順に基づいて以下説明する。
【００６２】
（ステップＤ０）
使用者がリモコン４または操作ボタン５を操作して図３に示す設定変更メニュー画面を表示し、「使用者設定変更メニュー画面」と、設定メイン項目からいずれか一つを選択して確定キーを押下すると、制御処理部１５の設定値メモリ管理処理部２７が管理者設定変更処理を開始する。
【００６３】
（ステップＤ１）
設定値メモリ管理処理部２７は、ＯＳＤ生成部１４に使用者設定変更メニュー画面のＯＳＤ表示指令を出力する。ＯＳＤ生成部１４は、領域番号を指定できる図５に示すような使用者設定変更メニュー画面を生成し表示部１３に出力する。表示部１３は映像生成部１２にて生成された映像データにＯＳＤ生成部１４にて生成された使用者設定変更メニュー画面を重ね合わせ、その重ね合わせた映像データをスクリーン３に出力して映像表示する。
【００６４】
（ステップＤ２）
ステップＤ２において、使用者がスクリーン３に表示された使用者設定変更メニュー画面の設定変更サブ項目の一つを選択して確定キーを押下すると、設定値メモリ管理処理部２７はこの操作した設定値を使用者操作設定値としてメモリ１６に記憶する。また、スクリーン３に表示された使用者設定変更メニュー画面の設定タイプの選択と領域番号の指定を使用者がリモコン４または操作ボタン５から行い確定キーを押下すると、設定値メモリ管理処理部２７はこの選択された設定タイプと指定された領域番号のデータを入力する。
【００６５】
（ステップＤ３）
設定値メモリ管理処理部２７は、使用者が選択した設定タイプをチェックし、設定タイプが１（使用者操作設定値を使用者設定値へコピー）であればステップＤ４の処理に進み、設定タイプが２（管理者設定値を現在設定値へコピー）であればステップＤ５の処理に進み、設定タイプが３（使用者設定値を現在設定値へコピー）であればステップＤ６の処理に進み、設定タイプが４（管理者設定値を使用者設定値へコピー）であればステップＤ７の処理に進み、設定タイプが５（電源オフの時に管理者設定値を使用者設定値にコピー）であればステップD８の処理に進む。
【００６６】
（ステップＤ４）
ステップＤ３において設定値メモリ管理処理部２７が設定タイプ１と判定したときはステップＤ４に進み、指定された使用者設定値記憶メモリ２１の領域番号を入力し、メモリ１６に記憶されている使用者操作設定値を取り出し、使用者設定値記憶メモリ２１の領域番号に記憶し、本処理を終了する。
【００６７】
（ステップＤ５）
ステップＤ３において設定値メモリ管理処理部２７が設定タイプ２と判定したときはステップＤ５に進み、指定された管理者設定値記憶メモリ２０の領域番号を入力し、管理者設定値記憶メモリ２０に記憶されている領域番号の管理者設定値を取り出し、現在設定値記憶メモリ１８に記憶し、本処理を終了する。
【００６８】
（ステップＤ６）
ステップＤ３において設定値メモリ管理処理部２７が設定タイプ３と判定したときはステップＤ６に進み、指定された使用者設定値記憶メモリ２１の領域番号を入力し、使用者設定値記憶メモリ２１に記憶されている領域番号の使用者設定値を取り出し、現在設定値記憶メモリ１８に記憶し、本処理を終了する。
【００６９】
（ステップＤ７）
ステップＤ３において設定値メモリ管理処理部２７が設定タイプ４と判定したときはステップＤ７に進み、指定された管理者設定値記憶メモリ２０と使用者設定値記憶メモリ２１の領域番号を入力し、管理者設定値記憶メモリ２０に記憶されている領域番号の管理者設定値を取り出し、領域番号の使用者設定値記憶メモリ２１に記憶し、本処理を終了する。
【００７０】
（ステップＤ８）
ステップＤ３において設定値メモリ管理処理部２７が設定タイプ５と判定されたときはステップＤ８に進み、指定された管理者設定値記憶メモリ２０と使用者設定値記憶メモリ２１の領域番号を入力し、管理者設定値記憶メモリ２０に記憶されている領域番号の管理者設定値を取り出し、使用者設定値記憶メモリ２１の領域番号に記憶する。
【００７１】
（ステップＤ９）
次にステップＤ９に進み、設定値メモリ管理処理部２７は電源制御部２４にプロジェクタ装置１の電源オフの指令を行う。指令を受けた電源制御部２４が電源２５の電源オフを行うことで本処理は終了する。
【００７２】
このような第２の実施形態によれば、複数の管理者設定値と使用者設定値を記憶することができるので、複数の管理者設定値や使用者設定の中から設定値を選んで容易に設定できるプロジェクタ装置（電気機器装置）及びプロジェクタ装置（電気機器装置）における設定方法を提供することができる。
【００７３】
上記の実施の形態ではスクリーン３に操作画面を表示し、管理者または使用者がこの操作画面に基づいてリモコン４または操作ボタン５から操作を行っている。しかし、その他の実施例として、このプロジェクタ装置１に接続された外部装置２の表示器に操作画面を表示し、その操作画面に基づいて外部装置２から操作することができる。このようにすれば、プロジェクタ装置の本体と外部装置であるパソコンなどを接続しパソコンの画面から操作ができるので、操作画面をスクリーンに表示させたくない場合などに好適である。また、既に設定値が設定されている別のプロジェクタ装置をプロジェクタ装置１に接続し、別のプロジェクタ装置の設定値をプロジェクタ装置１の設定値にコピーしたり、また逆にプロジェクタ装置１の設定値を別のプロジェクタ装置の設定値にコピーすることができる。このようにすれば、管理者設定値を別のプロジェクタ装置にコピーしたい場合や、またプロジェクタ装置をリプレースして既設の設定値に設定したい場合などに好適である。
【００７４】
以上、本発明を具体的な実施の形態により説明したが、本発明はプロジェクタに限定されることなく、設定値を変更できる権限が管理者と使用者で異なる電気機器装置に適用することができる。
【産業上の利用可能性】
【００７５】
本発明は、電気機器装置及び電気機器装置における設定方法に好適であるが、電気機器装置及び電気機器装置における設定方法に限られるものではない。
【図面の簡単な説明】
【００７６】
【図１】本発明プロジェクタ装置の主要な構成を示す機能ブロック図
【図２】本発明プロジェクタ装置の設定値の流れを示す図
【図３】本発明プロジェクタ装置の設定変更メニュー画面のフォーマット
【図４】本発明プロジェクタ装置の管理者設定変更メニュー画面のフォーマット
【図５】本発明プロジェクタ装置の使用者設定変更メニュー画面のフォーマット
【図６】本発明の第１の実施形態である管理者設定変更処理の流れを示すフローチャート
【図７】本発明の第１の実施形態である使用者設定変更処理の流れを示すフローチャート
【図８】本発明の第２の実施形態である管理者設定値記憶メモリの構成
【図９】本発明の第２の実施形態である使用者設定値記憶メモリの構成
【図１０】本発明の第２の実施形態である管理者設定変更処理の流れを示すフローチャート
【図１１】本発明の第２の実施形態である使用者設定変更処理の流れを示すフローチャート
【符号の説明】
【００７７】
１・・・プロジェクタ装置（電気機器装置）
２・・・外部装置
３・・・スクリーン
４・・・リモコン
５・・・操作ボタン
１１・・・信号入力部
１２・・・映像生成部
１３・・・表示部
１４・・・ＯＳＤ生成部
１５・・・制御処理部
１６・・・メモリ
１７・・・ＨＤＤ
１８・・・現在設定値記憶メモリ
１９・・・工場出荷設定値記憶メモリ
２０・・・管理者設定値記憶メモリ
２１・・・使用者設定値記憶メモリ
２２・・・リモコン受信部
２３・・・操作入力部
２４・・・電源制御部
２５・・・電源
２６・・・システムバス
【図１】
2009122752.tif 000003
【図２】
2009122752.tif 000004
【図３】
2009122752.tif 000005
【図４】
2009122752.tif 000006
【図５】
2009122752.tif 000007
【図６】
2009122752.tif 000008
【図７】
2009122752.tif 000009
【図８】
2009122752.tif 000010
【図９】
2009122752.tif 000011
【図１０】
2009122752.tif 000012
【図１１】
2009122752.tif 000013